(57)【要約】      （修正有）【課題】ノズル面の払拭性、メンテナンス後のインクの吐出性、およびメンテナンス液の廃液でのインクの非凝集性に優れる、ラテックスインクを用いて印刷を行なうインクジェット記録装置のメンテナンス方法を提供する。【解決手段】保液性を有するワイパー部材に、メンテナンス液を付着させる工程と、インクジェット記録装置のインクヘッドのラテックスインクを吐出する吐出口が設けられたノズル面を、メンテナンス液が付着したワイパー部材で拭く工程とを包含し、メンテナンス液が、水と、プロピレングリコール、沸点１８０℃以上の両末端アルコール、およびポリアルキレングリコールモノメチルエーテルからなる群より選ばれる少なくとも１種の有機溶剤を含有し、メンテナンス液中における水および有機溶剤の合計含有量が８５質量％以上であり、メンテナンス液が、界面活性剤を実質的に含有しない。【選択図】図１
2019001039.tif 000002
【特許請求の範囲】
【請求項１】
保液性を有するワイパー部材に、メンテナンス液を付着させる工程と、
インクジェット記録装置のインクヘッドのラテックスインクを吐出する吐出口が設けられたノズル面を、前記メンテナンス液が付着したワイパー部材で拭く工程と、
を包含する、インクジェット記録装置のメンテナンス方法であって、
前記メンテナンス液が、水と、プロピレングリコール、沸点１８０℃以上の両末端アルコール、およびポリアルキレングリコールモノメチルエーテルからなる群より選ばれる少なくとも１種の有機溶剤とを含有し、
前記メンテナンス液中における、水および前記有機溶剤の合計含有量が８５質量％以上であり、
前記メンテナンス液が、界面活性剤を実質的に含有しない、
ことを特徴とするメンテナンス方法。
【請求項２】
前記メンテナンス液中における、水の含有量が７０質量％以上であり、かつ前記有機溶剤の含有量が５質量％以上であることを特徴とする、請求項１に記載のメンテナンス方法。
【請求項３】
水と、プロピレングリコール、沸点１８０℃以上の両末端アルコール、およびポリアルキレングリコールモノメチルエーテルからなる群より選ばれる少なくとも１種の有機溶剤とを含有し、
水および前記有機溶剤の合計含有量が８５質量％以上であり、
界面活性剤を実質的に含有しない、
ことを特徴とする、インクジェット記録装置のインクヘッドのラテックスインクを吐出する吐出口が設けられたノズル面用のメンテナンス液。
【請求項４】
水の含有量が７０質量％以上であり、かつ前記有機溶剤の含有量が５質量％以上であることを特徴とする、請求項３に記載のメンテナンス液。
【請求項５】
ラテックスインクを吐出する吐出口が設けられたノズル面を有するインクヘッド、およびメンテナンス液を貯蔵しかつ前記インクヘッドのノズル面に付着したラテックスインクを拭き取るように構成されたクリーニング機構を備える、インクジェット記録装置であって、
前記クリーニング機構は、保液性を有するワイパー部材と、前記メンテナンス液を貯蔵しかつ当該ワイパー部材にメンテナンス液を供給するメンテナンス液供給手段とを備え、
前記メンテナンス液が、水と、プロピレングリコール、沸点１８０℃以上の両末端アルコール、およびポリアルキレングリコールモノメチルエーテルからなる群より選ばれる少なくとも１種の有機溶剤とを含有し、
前記メンテナンス液中における、水および前記有機溶剤の合計含有量が８５質量％以上であり、
前記メンテナンス液が、界面活性剤を実質的に含有しない、
ことを特徴とするインクジェット記録装置。
【請求項６】
前記メンテナンス液中における、水の含有量が７０質量％以上であり、かつ前記有機溶剤の含有量が５質量％以上であることを特徴とする、請求項５に記載のインクジェット記録装置。
【発明の詳細な説明】
【技術分野】
【０００１】
本発明は、インクジェット記録装置のメンテナンス方法に関する。本発明はまた、インクジェット記録装置のメンテナンスに用いられるメンテナンス液に関する。本発明はまた、インクジェット記録装置に関する。
【背景技術】
【０００２】
従来のインクジェット記録装置では、インク充填後に、あるいは印刷時のインクミストの飛散により、インク吐出口が形成されたノズル面にインクが付着することがある。このノズル面のインクの付着は、インクの不吐出およびインクの飛行曲がりの原因になるものである。そのため、従来のインクジェット記録装置では、インクの付着を防止するために、ゴム製のブレード型ワイパーによって、ノズル面を払拭するメンテナンス方法が採用されている。
【０００３】
近年、環境への影響を低減する観点から、ラテックスインクといわれるインクジェットインクを搭載したインクジェット記録装置が登場している。ラテックスインクは、典型的には、水、水溶性有機溶剤、色材、樹脂粒子、界面活性剤等を含む。ラテックスインクは、印刷時、メディアに吐出された後、熱乾燥によって水および有機溶剤が揮発する際に樹脂粒子が被膜化し、メディアに対して強固に定着する。ラテックスインクを搭載したインクジェット記録装置では、その乾燥原理により、一度被膜化したインクは再度インクに溶解することができない。そのため従来のメンテナンス方法では、ワイパーにインクが付着したままの状態に置かれると、ワイパー表面でインクが固化し得る。固化したインクが付着したワイパーでノズル面を払拭した場合、固化したインクによりノズル面に傷がつき、これによりインクの不吐出およびインクの飛行曲がりが起こり得る。
【０００４】
そこで近年、不織布等の保液性のあるシート状のワイパーを用いて、メンテナンス液を含浸させたワイパーによりノズル面を払拭するメンテナンス方法が開発されている。このメンテナンス方法においては、ワイパーには、水、界面活性剤、有機溶剤等を含むメンテナンス液が含浸されており、これにより、ノズル面に付着したインクを効果的に拭き取ることができる（例えば、特許文献１および２参照）。
【先行技術文献】
【特許文献】
【０００５】
【特許文献１】特開２００５−２１８０９号公報
【特許文献２】特開２０１５−５０９号公報
【発明の概要】
【発明が解決しようとする課題】
【０００６】
しかしながら、本発明者らが鋭意検討した結果、ラテックスインクを用いて印刷を行なうインクジェット記録装置に、従来のメンテナンス液とワイパーを用いたメンテナンス方法を適用した場合に、ノズル面にインクやメンテナンス液が残る場合があり、ノズル面の払拭性に改善の余地があることを見出した。また、メンテナンス後にインクが吐出されない、あるいはインクの飛行曲がりが生じる場合があるなど、メンテナンス後のインクの吐出性に改善の余地があることを見出した。また、メンテナンス液の廃液の流路内でインクが凝集して廃液流路に詰まりが生じる場合があるなど、メンテナンス液の廃液でのインクの非凝集性に改善の余地があることを見出した。
【０００７】
本発明はかかる点に鑑みてなされたものであり、その目的は、ラテックスインクを用いて印刷を行なうインクジェット記録装置のメンテナンス方法であって、ノズル面の払拭性、メンテナンス後のインクの吐出性、およびメンテナンス液の廃液でのインクの非凝集性に優れるメンテナンス方法を提供することにある。
【課題を解決するための手段】
【０００８】
本発明のインクジェット記録装置のメンテナンス方法は、保液性を有するワイパー部材に、メンテナンス液を付着させる工程と、インクジェット記録装置のインクヘッドのラテックスインクを吐出する吐出口が設けられたノズル面を、前記メンテナンス液が付着したワイパー部材で拭く工程とを包含する。前記メンテナンス液は、水と、プロピレングリコール、沸点１８０℃以上の両末端アルコール、およびポリアルキレングリコールモノメチルエーテルからなる群より選ばれる少なくとも１種の有機溶剤とを含有する。前記メンテナンス液中における、水および前記有機溶剤の合計含有量は８５質量％以上である。前記メンテナンス液は、界面活性剤を実質的に含有しない。
【０００９】
本発明のインクジェット記録装置のインクヘッドのラテックスインクを吐出する吐出口が設けられたノズル面用のメンテナンス液は、水と、プロピレングリコール、沸点１８０℃以上の両末端アルコール、およびポリアルキレングリコールモノメチルエーテルからなる群より選ばれる少なくとも１種の有機溶剤とを含有する。本発明のメンテナンス液において、水および前記有機溶剤の合計含有量は８５質量％以上である。本発明のメンテナンス液は、界面活性剤を実質的に含有しない。
【００１０】
本発明のインクジェット記録装置は、ラテックスインクを吐出する吐出口が設けられたノズル面を有するインクヘッド、およびメンテナンス液を貯蔵しかつ前記インクヘッドのノズル面に付着したラテックスインクを拭き取るように構成されたクリーニング機構を備える。前記クリーニング機構は、保液性を有するワイパー部材と、前記メンテナンス液を貯蔵しかつ当該ワイパー部材にメンテナンス液を供給するメンテナンス液供給手段とを備える。前記メンテナンス液は、水と、プロピレングリコール、沸点１８０℃以上の両末端アルコール、およびポリアルキレングリコールモノメチルエーテルからなる群より選ばれる少なくとも１種の有機溶剤とを含有する。前記メンテナンス液中における、水および前記有機溶剤の合計含有量は８５質量％以上である。前記メンテナンス液は、界面活性剤を実質的に含有しない。
【発明の効果】
【００１１】
本発明によれば、ラテックスインクを用いて印刷を行なうインクジェット記録装置のメンテナンス方法であって、ノズル面の払拭性、メンテナンス後のインクの吐出性、およびメンテナンス液の廃液でのインクの非凝集性に優れるメンテナンス方法が提供される。
【図面の簡単な説明】
【００１２】
【図１】本発明の一実施形態に係るインクジェット記録装置の斜視図である。
【図２】本発明の一実施形態に係るインクジェット記録装置の内部構造の一部を示す図である。
【図３】本発明の一実施形態に係るインクジェット記録装置のキャリッジを底面から見た図である。
【図４】本発明の一実施形態に係るインクジェット記録装置のクリーニング機構の模式図である。
【図５】本発明の一実施形態に係るインクジェット記録装置のクリーニング機構による払拭操作について示す模式図である。
【図６】本発明の一実施形態に係るインクジェット記録装置の変形例のクリーニング機構の模式図である。
【図７】本発明の一実施形態に係るインクジェット記録装置の変形例のクリーニング機構による払拭操作について示す模式図である。
【発明を実施するための形態】
【００１３】
まず、本発明のインクジェット記録装置のメンテナンス方法について説明する。本発明のインクジェット記録装置のメンテナンス方法は、保液性を有するワイパー部材に、メンテナンス液を付着させる工程（メンテナンス液付着工程）と、インクヘッドのラテックスインクを吐出する吐出口が設けられたノズル面を、当該メンテナンス液が付着したワイパー部材で拭く工程（払拭工程）とを包含する。ここで、当該メンテナンス液は、水と、プロピレングリコール、沸点１８０℃以上の両末端アルコール、およびポリアルキレングリコールモノメチルエーテルからなる群より選ばれる少なくとも１種の有機溶剤とを含有する。当該メンテナンス液中における、水および当該有機溶剤の合計含有量は８５質量％以上である。当該メンテナンス液は、界面活性剤を実質的に含有しない。
【００１４】
本発明のインクジェット記録装置のメンテナンス方法は、インクヘッドが、ラテックスインクを吐出する吐出口が設けられたノズル面を有するインクジェット記録装置に適用される。したがって、ラテックスインクを用いて印刷を行なうインクジェット記録装置に適用される。本明細書においてラテックスインクとは、水性溶媒中に、樹脂粒子が分散しているインクのことをいう。ラテックスインクは、典型的には、水、水溶性有機溶剤、色材、樹脂粒子、界面活性剤等を含有する。
【００１５】
メンテナンス液付着工程に用いられるワイパー部材の種類には、保液性を有し、かつインクジェット記録装置のインクヘッドのラテックスインクを吐出する吐出口が設けられたノズル面の拭き取り操作を可能にするものである限り、特に制限はない。ワイパー部材は、ワイパー部材全体が保液性を有していなくてもよく、上記ノズル面と接触する部分のみ保液性を有していればよい。ワイパー部材は、不織布、多孔質シート等のシート状のワイパー部材であってよい。あるいは、ワイパー部材は、先端に不織布等が取り付けられる等により保液性が付与された、ブレード状のワイパー部材であってよい。なお、本明細書においてワイパー部材の「保液性」とは、ワイパー部材に付着した液体の少なくとも一部を吸収または吸着して、当該液体を保持できる性能のことをいう。
【００１６】
メンテナンス液付着工程に用いられるメンテナンス液は、必須成分として水を含有する。また、メンテナンス液付着工程に用いられるメンテナンス液は、必須成分として、プロピレングリコール、沸点１８０℃以上の両末端アルコール、およびポリアルキレングリコールモノメチルエーテルからなる群より選ばれる少なくとも１種の有機溶剤を含有する。そして、当該メンテナンス液中における、水および当該有機溶剤の合計含有量は８５質量％以上である。一方、当該メンテナンス液は、界面活性剤を実質的に含有しない。
【００１７】
メンテナンス液に含有される水には特に制限はないが、不純物の混入を防止する観点から、イオン交換水、限外濾過水、逆浸透水、蒸留水、または超純水が好ましく、イオン交換水がより好ましい。
【００１８】
沸点１８０℃以上の両末端アルコールの例としては、エチレングリコール（沸点：約１９６℃）、ジエチレングリコール（沸点：約２４４℃）、トリエチレングリコール（沸点：約２８７℃）、１，３−プロパンジオール（沸点：約２１３℃）、１，４−ブタンジオール（沸点：約２３０℃）、２，２−ジメチル−１，３−プロパンジオール（沸点：約２０８℃）、２−メチル−１，３−プロパンジオール（沸点：約２１３℃）、１，５−ペンタンジオール（沸点：約２４２℃）、１，６−ヘキサンジオール（沸点：約２５０℃）等が挙げられる。なかでも、両末端アルカンジオールが好ましく、炭素数３〜５の両末端アルカンジオールがより好ましい。
【００１９】
ポリアルキレングリコールモノメチルエーテルの好適な例としては、ジエチレングリコールモノメチルエーテル（沸点：約１９４℃）、トリエチレングリコールモノメチルエーテル（沸点：約２４９℃）、ジプロピレングリコールモノメチルエーテル（沸点：約１９０℃）、トリプロピレングリコールモノメチルエーテル（沸点：約２４３℃）等が挙げられる。
【００２０】
プロピレングリコール、沸点１８０℃以上の両末端アルコール、およびポリアルキレングリコールモノメチルエーテルは、１種単独で、または２種以上を組み合わせて用いることができる。
【００２１】
メンテナンス液中における、水および上記有機溶剤の合計含有量は８５質量％以上である。このように、水と特定の有機溶剤とを特定量含有するメンテナンス液を用いることにより、インクジェット記録装置のノズル面にインクやメンテナンス液が残ることを抑制することができる。すなわち、ノズル面の払拭性を改善することができる。また、このようなメンテナンス液を用いることにより、メンテナンス後のインクの不吐出やインクの飛行曲がりの発生を抑制することができる。すなわち、メンテナンス後のインクの吐出性を改善することができる。また、このようなメンテナンス液を用いることにより、メンテナンス液の廃液中でのインクの凝集を抑制することができ、これにより、廃液流路での詰まりの発生を抑制することができる。
【００２２】
メンテナンス液中の水および上記有機溶剤の合計含有量は、８８質量％以上が好ましく、９０質量％以上がより好ましい。
【００２３】
一方でメンテナンス液は、界面活性剤を実質的に含有しない。メンテナンス液が界面活性剤を実質的に含有する場合には、ノズル面でのメンテナンス液が濡れ拡がり易くなり、ノズル面に液体が残り易くなる。その結果、ノズル面の払拭性が悪くなる。また、ノズルの吐出口内にメンテナンス液が入り込んでインクのメニスカスを破壊し、インクの吐出性を損なう。なお、本明細書において、メンテナンス液が界面活性剤を実質的に含有しないとは、メンテナンス液中の界面活性剤の含有量が、０．３質量％以下（特に０．１質量％以下）であることをいう。メンテナンス液は、好ましくは、界面活性剤を含有しない（すなわち、メンテナンス液中の界面活性剤の含有量は、好ましくは０質量％である）。
【００２４】
有機溶剤の含有量を減少させて環境負荷を低減する観点およびコストの観点から、メンテナンス液中における水の含有量は、７０質量％以上が好ましい。一方、上記有機溶剤を添加することによる効果を十分に得る観点から、メンテナンス液中の上記有機溶剤の含有量は、５質量％以上が好ましく、７質量％以上がより好ましい。したがって、メンテナンス液中における、水の含有量が７０質量％〜９５質量％であり、かつ上記有機溶剤の含有量が５質量％〜３０質量％であることが好ましく、メンテナンス液中における、水の含有量が７０質量％〜９３質量％であり、かつ上記有機溶剤の含有量が７質量％〜３０質量％であることがより好ましい。
【００２５】
メンテナンス液は、本発明の範囲を損なわない範囲内で上記以外の有機溶剤（その他の有機溶剤）を含有していてもよい。その他の有機溶剤は、ラテックスインクの水溶性有機溶剤として使用可能な有機溶剤であることが好ましく、その例としては、１，２−ブタンジオール（沸点：約１９４℃）、２，３−ブタンジオール（沸点：約１８３℃）、１，３−ブタンジオール（沸点：約２０８℃）、１，２−ペンタンジオール（沸点：約２０６℃）、２，４−ペンタンジオール（沸点：約２０１℃）、２−メチル−２，４−ペンタンジオール（沸点：約１９８℃）、１，２−ヘキサンジオール（沸点：約２２４℃）、２−エチルー１，３−ヘキサンジオール（沸点：約２４３℃）等のジオール類；プロピレングリコール−ｎ−ブチルエーテル（沸点：約１７１℃）、プロピレングリコール−ｔ−ブチルエーテル（沸点：約１５３℃）、ジエチレングリコールモノブチルエーテル（沸点：約２３０℃）、ジエチレングリコールモノエチルエーテル（沸点：約２０２℃）、エチレングリコール−ｎ−プロピルエーテル（沸点：約１５０℃）、エチレングリコール−ｎ−ブチルエーテル（沸点：約１７１℃）、３−メトキシ−３−メチル−１−ブタノール（沸点：約１７４℃）、１−エトキシ−２−プロパノール（沸点：約１３２℃）等のモノオール類などが挙げられる。
【００２６】
メンテナンス液中のその他の有機溶剤の含有量は、１５質量％以下であり、好ましくは１２質量％以下であり、より好ましくは１０質量％以下である。
【００２７】
メンテナンス液付着工程において、保液性を有するワイパー部材にメンテナンス液を付着させる方法には特に制限はなく、公知方法に従い行なうことができる。例えば、ワイパー部材に対してメンテナンス液を塗布または吐出する方法、ワイパー部材を、メンテナンス液を貯蔵した槽に浸漬する方法等を採用することができる。
【００２８】
払拭工程は、ワイパー部材のメンテナンス液が付着した部位を、上記ノズル面に接触させ、当該ワイパー部材と当該ノズル面との少なくとも一方を移動させることにより、行なうことができる。具体的には、例えば、シート状のワイパー部材を用いる場合、シート状のワイパー部材のメンテナンス液が付着した部位を、上記ノズル面に接触させ、シート状のワイパー部材を巻き取ること等によりシート状部材を移動させて払拭操作を行なってよい。あるいは、例えば、ブレード状のワイパー部材を用いる場合、ブレード状のワイパー部材のメンテナンス液が付着した部位を、上記ノズル面に接触させ、ブレード状のワイパー部材またはインクヘッドのノズル面を移動させて払拭操作を行なってよい。
【００２９】
本発明のインクジェット記録装置のメンテナンス方法によれば、ノズル面の払拭性、メンテナンス後のインクの吐出性、およびメンテナンス液の廃液でのインクの非凝集性に優れる。よって、本発明のインクジェット記録装置のメンテナンス方法は、ラテックスインクをインクヘッドに充填後、またはラテックスインクによるインクジェット印刷を行なった後に実施することが極めて有利である。
【００３０】
次に、本発明のインクジェット記録装置について説明する。本発明のインクジェット記録装置は、上述の本発明のインクジェット記録装置のメンテナンス方法を行なうように構成されている。そこで、本発明のインクジェット記録装置は、ラテックスインクを吐出する吐出口が設けられたノズル面を有するインクヘッド、およびメンテナンス液を貯蔵しかつ当該インクヘッドのノズル面に付着したラテックスインクを拭き取るように構成されたクリーニング機構を備える。当該クリーニング機構は、保液性を有するワイパー部材と、当該メンテナンス液を貯蔵しかつ当該ワイパー部材にメンテナンス液を供給するメンテナンス液供給手段とを備える。当該メンテナンス液は、水と、プロピレングリコール、沸点１８０℃以上の両末端アルコール、およびポリアルキレングリコールモノメチルエーテルからなる群より選ばれる少なくとも１種の有機溶剤とを含有する。当該メンテナンス液中における、水および前記有機溶剤の合計含有量は８５質量％以上である。当該メンテナンス液は、界面活性剤を実質的に含有しない。
【００３１】
以下、本発明のインクジェット記録装置について、特定の実施形態を例に挙げて図面を参照しながら説明する。当然ながら本発明のインクジェット記録装置は、以下の実施形態に限定されるものではない。また、以下の図面においては、同じ作用を奏する部材・部位には同じ符号を付して説明している。また、各図における寸法関係（長さ、幅、厚さ等）は実際の寸法関係を反映するものではない。
【００３２】
図１は、一実施形態に係るインクジェット記録装置１０の斜視図である。図１において、インクジェット記録装置１０を正面から見たときに、インクジェット記録装置１０から遠ざかる方を前方、インクジェット記録装置１０に近づく方を後方とする。左、右、上、下とは、インクジェット記録装置１０を正面から見たときの左、右、上、下をそれぞれ意味するものとする。また、図面中の符号Ｆ、Ｒｒ、Ｌ、Ｒ、Ｕ、Ｄは、それぞれ前、後、左、右、上、下を意味するものとする。ただし、上記方向は説明の便宜上定めた方向に過ぎず、インクジェット記録装置１０の設置態様を何ら限定するものではなく、本発明を何ら限定するものでもない。また、図面中の符号Ｙは主走査方向を示している。ここでは、主走査方向Ｙは左右方向である。符号Ｘは、副走査方向を示している。ここでは、副走査方向Ｘは前後方向である。主走査方向Ｙと副走査方向Ｘとは平面視において直交している。ただし、主走査方向Ｙおよび副走査方向Ｘは、特に限定されず、インクジェット記録装置１０の形態に応じて適宜に設定可能である。
【００３３】
本実施形態に係るインクジェット記録装置１０は、インクジェット方式のプリンタである。本実施形態において、「インクジェット方式」には、二値偏向方式または連続偏向方式などの各種の連続方式、および、サーマル方式または圧電素子方式などの各種のオンデマンド方式が含まれる。インクジェット記録装置１０は、記録媒体５に印刷を行うものである。
【００３４】
記録媒体５は、例えば、記録紙である。しかしながら、記録媒体５は、記録紙に限定されない。例えば、記録媒体５は、ポリエチレンテレフタレート（ＰＥＴ）等のポリエステル、ポリ塩化ビニルなどの樹脂製のシートであってもよい。
【００３５】
図１に示すように、インクジェット記録装置１０は、本体１０Ａと、脚１２と、プラテン１４と、ガイドレール１６と、キャリッジ２６とを備える。本体１０Ａは、脚１２に支持されている。脚１２は、本体１０Ａの下面に設けられている。プラテン１４には、記録媒体５が載置される。図示は省略するが、プラテン１４には、円筒状のグリッドローラが設けられている。このグリッドローラは、その上面部を露出させた状態でプラテン１４に埋設されている。グリッドローラは、副走査方向Ｘに回転するように設置される。
【００３６】
ガイドレール１６は、プラテン１４の上方に配置されている。ガイドレール１６は、プラテン１４と平行に配置され、主走査方向Ｙに延びている。図示は省略するが、ガイドレール１６の下方には、複数のピンチローラが略等間隔に配置されている。これらピンチローラは、上記グリッドローラに対向している。上記ピンチローラは、記録媒体５の厚さに応じて上下方向の位置を設定可能に構成されている。上記グリッドローラと上記ピンチローラとの間には、記録媒体５が挟み込まれる。上記グリッドローラおよび上記ピンチローラは、記録媒体５を挟持した状態で、記録媒体５を副走査方向Ｘに搬送可能に構成されている。
【００３７】
図２は、本実施形態に係るインクジェット記録装置１０の内部構造の一部を示す図である。図２に示すように、インクジェット記録装置１０は、クリーニング機構３０と廃液タンク４０とを備える。クリーニング機構３０の配置される位置は、キャリッジ２６の下方である。図２では、クリーニング機構３０の構成部材のうち、メンテナンス液槽３１と、メンテナンス液の廃液を排出するための廃液排出手段としての第１の廃液流路３２、廃液ポンプ３３、および第２の廃液流路３４が示されている。廃液タンク４０は、本実施形態にあっては、本体１０Ａの最下辺近くであってインクジェット記録装置１０の後方Ｒｒ側に面した位置に配置されている。メンテナンス液槽３１に溜まった廃液は、廃液ポンプ３３により、第１の廃液流路３２および第２の廃液流路３４を通って廃液タンク４０へと移送される。
【００３８】
図３は、キャリッジ２６を底面（図１の下方向）から見た図である。図３に示すように、複数のインクヘッド５０が、キャリッジ２６に搭載されている。複数のインクヘッド５０は、キャリッジ２６の主走査方向Ｙへの移動に伴い、主走査方向Ｙに移動する。複数のインクヘッド５０は、ラテックスインクを吐出するものである。図示は省略するが、インクヘッド５０は、ラテックスインクを収容したインク貯蔵部と接続されている。複数のインクヘッド５０はそれぞれ底面に、ラテックスインクの吐出口５１を有している。したがって、インクヘッド５０の底面がノズル面５２を構成している。
【００３９】
図４に、本実施形態に係るインクジェット記録装置１０のクリーニング機構３０を模式的に示す。また図５に、本実施形態に係るインクジェット記録装置１０のクリーニング機構３０による払拭操作について模式的に示す。図４および図５は共に、前方Ｆ方向から見た図である。
【００４０】
クリーニング機構３０は、メンテナンス液６０を貯蔵するメンテナンス液槽３１を備える。メンテナンス液槽３１は、第１の廃液流路３２に接続されている。クリーニング機構３０は、シート状のワイパー部材３５、供給ローラ３６、巻取ローラ３７、２つのガイドローラ３８、および押し当て部材３９を備える。ワイパー部材３５には、不織布が用いられており、そのため保液性を有する。しかしながらワイパー部材３５は、保液性を有する限り不織布に限られない。例えば、ワイパー部材３５は、多孔質シート等であってよい。ワイパー部材３５は、供給ローラ３６より巻き出されることにより供給され、ガイドローラ３８を介して巻取ローラ３７により巻き取られる。供給ローラ３６は、メンテナンス液槽３１内のメンテナンス液６０に浸漬されており、これによりワイパー部材３５にメンテナンス液６０が付着するように供給される。このようにしてメンテナンス液槽３１は、メンテナンス液６０を貯蔵しかつワイパー部材３５にメンテナンス液６０を供給するメンテナンス液供給手段として機能する。また、巻取ローラ３７もメンテナンス液槽３１内のメンテナンス液６０に浸漬されている。したがって、メンテナンス液槽３１はメンテナンス液６０の廃液を含み得る。押し当て部材３９は、２つのガイドローラ３８よりも上方に移動可能に構成されている。したがって、クリーニング機構３０は、シート状ワイパー部材３５を用いた巻取り式のクリーニング機構である。
【００４１】
メンテナンス液６０には、上述のメンテナンス液が用いられる。すなわち、メンテナンス液６０には、水と、プロピレングリコール、沸点１８０℃以上の両末端アルコール、およびポリアルキレングリコールモノメチルエーテルからなる群より選ばれる少なくとも１種の有機溶剤とを含有し、水および前記有機溶剤の合計含有量が８５質量％以上であり、界面活性剤を実質的に含有しない、メンテナンス液が用いられる。
【００４２】
なお、図４では、供給ローラ３６および巻取ローラ３７共にメンテナンス液槽３１内に配置されている。しかしながら、供給ローラ３６のみが、メンテナンス液槽３１内に配置され、巻取ローラ３７が別途用意された廃液槽内または廃液槽の上部に配置される構成であってもよい。また、メンテナンス液槽３１に変えて廃液槽を用意し、少なくとも巻取ローラ３７を廃液槽外に配置し、別途用意されたメンテナンス液塗布装置またはメンテナンス液吐出装置によって、ワイパー部材３５にメンテナンス液６０が供給される構成であってもよい。
【００４３】
図５に示すように、キャリッジ２６はガイドレール１６に沿って摺動可能に構成されており、主走査方向Ｙに移動可能である。キャリッジ２６には、インクヘッド５０が搭載されており、よってインクヘッド５０は、主走査方向Ｙに移動可能である。キャリッジ２６の下方には、クリーニング機構３０が配置されている。
【００４４】
キャリッジ２６がホームポジションＨＰから左方向Ｙ１へ移動するとき、クリーニング機構３０の押し当て部材３９が上方に移動する。これにより、インクヘッド５０のノズル面５２とワイパー部材３５とが接触する。このとき、インクヘッド５０が移動することにより、ノズル面５２の払拭操作が行なわれる。あるいは、供給ローラ３６および巻取ローラ３７が回転することにより、ワイパー部材３５が移動して払拭操作が行なわれる。なお、払拭操作はこれに限られず、インクヘッド５０とクリーニング機構３０のワイパー部材３５とが相対的に移動していればよい。例えば、クリーニング機構３０が移動するような構成としてもよい。
【００４５】
なお、クリーニング機構３０は、メンテナンス液を貯蔵しかつインクヘッド５０のノズル面５２に付着したラテックスインクを拭き取るように構成されている限り、上記の構成に限定されない。そこで、本発明の一実施形態に係るインクジェット記録装置の変形例のクリーニング機構について図面を用いて説明する。なお、クリーニング機構１３０以上の構成は、上述のインクジェット記録装置１０と同様であるため、その説明は省略する。
【００４６】
図６に、本発明の一実施形態に係るインクジェット記録装置１０の変形例のクリーニング機構１３０を模式的に示す。また図７に、本発明の一実施形態に係るインクジェット記録装置１０の変形例のクリーニング機構１３０による払拭操作について模式的に示す。図６および図７は共に、前方Ｆ方向から見た図である。
【００４７】
クリーニング機構１３０は、洗浄槽１３１と、ブレード状のワイパー部材１３５と、ワイパー移動機構１３６とを備えている。洗浄槽１３１には上述のメンテナンス液６０が貯蔵されている。また図示は省略するが、洗浄槽１３１は、廃液排出手段である、廃液流路および廃液ポンプと接続されている。
【００４８】
ワイパー部材１３５は、少なくともその先端部１３５Ａにおいて保液性を有する。本変形例では、ワイパー部材１３５として多孔質の板状体（例、ウレタンフォーム、メラミンフォーム）が用いられているが、これに限られない。例えば、ゴム状の板状体の先端に不織布等を装着したものであってよい。
【００４９】
ワイパー移動機構１３６は、ワイパー部材１３５を保持し、回転させる部材である。ワイパー移動機構１３６は、回転軸１３６ａと、駆動装置１３６ｂとを備える。回転軸１３６ａは、ワイパー部材１３５を把持するクランプ等を備えた部材であって、自身を軸に、図６のＴ方向にワイパー部材１３５を回転可能に構成されている。回転軸１３６ａには、駆動装置１３６ｂが接続されおり、駆動装置１３６ｂにより回転軸１３６ａに駆動力が与えられ、これにより、ワイパー部材１３５が回転する。
【００５０】
ワイパー部材１３５が、図６の位置Ｐ１にあるとき、ワイパー部材１３５は、メンテナンス液槽１３１内のメンテナンス液６０に浸漬していない。しかしながら、ワイパー部材１３５は、図６の位置Ｐ２にあるとき、その先端部１３５Ａがメンテナンス液槽１３１内のメンテナンス液６０に浸漬する。これにより、ワイパー部材１３５にメンテナンス液６０が付着するように供給される。したがって、このようにしてメンテナンス液槽１３１は、メンテナンス液６０を貯蔵しかつワイパー部材１３５にメンテナンス液６０を供給するメンテナンス液供給手段として機能する。
【００５１】
図７に示すように、キャリッジ２６がホームポジションＨＰから左方向Ｙ１へ移動するとき、クリーニング機構１３０のワイパー移動機構１３６がワイパー部材１３５を回転させ、ワイパー部材が垂直上方（Ｕ方向）を向くように配置される。すなわち、ワイパー部材１３５は、図６の位置Ｐ１に配置される。これにより、インクヘッド５０のノズル面５２とワイパー部材１３５とが接触する。このとき、インクヘッド５０が移動することにより、ノズル面５２の払拭操作が行なわれる。なお、払拭操作はこれに限られず、インクヘッド５０とクリーニング機構１３０のワイパー部材１３５とが相対的に移動していればよい。例えば、クリーニング機構１３０のワイパー部材１３５の回転を利用して、払拭操作を行なうような形態も可能である。
【００５２】
以上のような構成のインクジェット記録装置１０によれば、インクヘッド５０のノズル面５２にインクやメンテナンス液６０が残ることを抑制することができる。すなわち、ノズル面５２の払拭性を改善することができる。また、インクジェット記録装置１０によれば、メンテナンス後のインクの不吐出やインクの飛行曲がりの発生を抑制することができる。すなわち、メンテナンス後のインクの吐出性を改善することができる。また、インクジェット記録装置１０によれば、メンテナンス液６０の廃液中でのインクの凝集を抑制することができ、これにより、第１の廃液流路３２および第２の廃液流路３４での詰まりの発生を抑制することができる。
【実施例】
【００５３】
以下、実施例を挙げて本発明を詳細に説明するが、本発明は、これら実施例に制限されるものではない。
【００５４】
［実施例１〜９および比較例１〜５］
下記表１に示す組成を有するラテックスインクを用意した（なお、表中の各成分に対する値は、質量割合を示す）。
【００５５】
【表１】
2019001039.tif 000003
【００５６】
ＣＡＢ−Ｏ−ＪＥＴ３００（キャボット社製）：ブラック系自己分散顔料（固形分１５質量％の水性エマルジョン）
ＳＡＧ５０３Ａ（日信化学工業社製）：ポリエーテル変性シリコーン系界面活性剤「シルフェイスＳＡＧ５０３Ａ」
ビニブラン７１５Ｓ（日信化学工業社製）：ポリ塩化ビニル−ポリウレタンのコアシェル粒子の水性エマルジョン（固形分２５質量％）
【００５７】
また、下記表２〜４に示す組成を有するメンテナンス液を用意した（なお、表中の各成分に対する値は、質量割合を示す）。上記のラテックスインク、当該メンテナンス液、およびインクジェット記録装置を用いて下記の評価を行なった。結果を表２〜４に示す。
【００５８】
〔払拭性〕
インクジェット記録装置のインクヘッドに、表１に示す組成を有するラテックスインクを充填した。この段階で、インクヘッドのノズルプレートの吐出口がある面（ノズル面）にインクが付着していることが確認できた。このノズル面を、表２〜４に示す組成を有するメンテナンス液で濡らせた不織布で払拭した。そして、払拭後のノズル面の状態を観察し、以下の基準で評価した。結果を表２〜４に示す。
○：ノズル面に液体が残っていない
×：ノズル面に液体が残っている
【００５９】
〔インク吐出性〕
インクジェット記録装置のインクヘッドに、表１に示す組成を有するラテックスインクを充填した。この段階で、インクヘッドのノズルプレートの吐出口がある面（ノズル面）にインクが付着していることが確認できた。このノズル面を、表２〜４に示す組成を有するメンテナンス液で濡らせた不織布で払拭した。その後テストプリントを行い、インクの吐出状態について確認し、以下の基準で評価した。結果を表２〜４に示す。
○：すべてのノズルから抜けおよび飛行曲がりなくインクが吐出される
×：一部のノズルにおいて抜けまたは飛行曲がりが確認される
【００６０】
〔インクの非表修正〕
表２〜４に示す組成を有するメンテナンス液と、表１に示す組成を有するラテックスインクとを９：１の質量比で混合し、得られた混合物を２５℃の温度下で一晩放置した。このとき、混合物を収容した容器には蓋をせず、大気開放下で放置した。その後の混合物の状態を観察し、以下の基準で評価した。結果を表２〜４に示す。
○：インク成分の凝集が見られない
×：インク成分の凝集が見られる
【００６１】
［比較例６］
メンテナンス液を用いることなく、払拭性およびインク吐出性の評価を行なった。すなわち、ノズル面を乾いた不織布で払拭した以外は、上記の方法で、払拭性およびインク吐出性の評価を行なった。結果を表４に示す。
【００６２】
【表２】
2019001039.tif 000004
【００６３】
【表３】
2019001039.tif 000005
【００６４】
【表４】
2019001039.tif 000006
【００６５】
表２〜４に示されるように、本発明の範囲内の実施例１〜９では、払拭性、インクの吐出性、廃液中でのインクの非凝集性のすべてにおいて優れた結果が得られた。
【００６６】
これに対し、表４の比較例１および２の結果が示すように、ポリアルキレングリコールモノブチルエーテルをメンテナンス液の主有機溶剤に用いた場合には、インクの凝集が見られた。これは、メンテナンス液とインクとの混合物が大気開放下に置かれた際に、水が蒸発してポリアルキレングリコールモノブチルエーテルの含有比率が上昇し、インクに含まれていた樹脂粒子が安定して分散できなくなったためと考えられる。比較例３の結果が示すように、３−メトキシ−１−ブタノールをメンテナンス液の有機溶剤に用いた場合には、吐出性が悪かった。これは、メンテナンス液がインクヘッドの吐出口に侵入して、インクのメニスカスを破壊したためと考えられる。比較例４の結果が示すように、メンテナンス液が界面活性剤を含有する場合には、払拭性と吐出性が悪かった。これは界面活性剤の作用によりノズル面上に濡れ拡がり易くなり、その結果、ノズル面上に液体が残ったためであると考えられる。また、界面活性剤の作用により、インクヘッドの吐出口にメンテナンス液が入り易くなり、その結果、インクのメニスカスを破壊したためと考えられる。比較例５の結果が示すように、水と特定の有機溶剤の合計含有量が８５％を下回り、その他の有機溶剤であるポリアルキレングリコールモノブチルエーテルの含有量が多くなると、インクの凝集が見られた。これは、メンテナンス液とインクとの混合物が大気開放下に置かれた際に、水が蒸発して、その他の有機溶剤の影響により、インクに含まれていた樹脂粒子が安定して分散できなくなったためと考えられる。比較例６の結果が示すように、メンテナンス液を用いない場合には、払拭性が悪かった。これは、ノズル面に付着したインクは固化しやすいため、乾いた不織布では完全に払き取ることができなかったためと考えられる。
【符号の説明】
【００６７】
５    記録媒体
１０  インクジェット記録装置
２６  キャリッジ
３０  クリーニング機構
３１  メンテナンス液槽
３２  第１の廃液流路
３３  廃液ポンプ
３４  第２の廃液流路
３５  ワイパー部材
４０  廃液タンク
５０  インクヘッド
５１  吐出口
５２  ノズル面
６０  メンテナンス液
【図１】
2019001039.tif 000007
【図２】
2019001039.tif 000008
【図３】
2019001039.tif 000009
【図４】
2019001039.tif 000010
【図５】
2019001039.tif 000011
【図６】
2019001039.tif 000012
【図７】
2019001039.tif 000013